(57)【要約】    【課題】充填物を詰めた状態で運搬が可能な円柱金網籠を提供する。    【解決手段】円柱金網本体２を円周方向に分割した分割金網本体３，３と、円柱金網本体２の下面に設ける下蓋体５とを備え、分割金網本体３は、枠体１８内に金網たる菱形金網２０を張設し、枠体１８は上縁線材１１と下縁線材１２と分割箇所の縦線材１４，１４と有し、分割金網本体３，３同士の縦線材１４，１４を連結する分割箇所連結具７と、菱形金網２０に設けられた縦方向の補強線材１５と、円柱金網本体２の下縁線材１２に下蓋体５を連結する連結具８とを備える。分割金網本体３，３を分割箇所連結具７により連結して円柱金網本体２を形成し、この円柱金網本体２に下蓋体５を連結し、その円柱金網本体２に充填物たる土砂６５を詰めた後、補強線材１５の折返し部１７に吊り具を連結し、吊り上げて移動することができる。【選択図】図１
2019127740.tif 000002
【特許請求の範囲】
【請求項１】
円柱金網本体を円周方向に分割した分割金網本体と、前記円柱金網本体の下面に設ける蓋体とを備え、
前記分割金網本体は、枠体内に金網を張設し、前記枠体は上縁線材と下縁線材と分割箇所の縦線材と有し、
前記分割金網本体同士の縦線材を連結する分割箇所連結具と、前記金網に設けられた縦方向の補強線材と、前記円柱金網本体の下縁線材に前記蓋体を連結する蓋体連結具とを備えることを特徴とする円柱金網籠。
【請求項２】
前記金網が菱形金網であり、
前記補強線材を前記金網の複数の網目に挿通すると共に、前記補強線材の上部及び下部を前記上縁線材及び前記下縁線材に連結したことを特徴とする請求項１記載の円柱金網籠。
【請求項３】
前記分割箇所連結具及び蓋体連結具は、連結具本体と、締付手段とを備え、前記連結具本体は、対応して設けた一対の挟持部と、これら一方と他方の挟持部の一側を連結する連結部と、それら一方と他方の挟持部の他側間に設けた開口部と、前記一方と他方の挟持部に穿設され前記締付手段を挿通する挿通部とを備え、
前記補強線材の端部に連結具用係合部を設けたことを特徴とする請求項１記載の円柱金網籠。
【請求項４】
請求項１〜３のいずれか１項に記載の円柱金網籠を用い、この円柱金網籠内に袋体を入れると共に、この袋体に植生部を設け、前記袋体内に植生用充填物を収納したことを特徴とする植生構造。
【請求項５】
請求項１〜３のいずれか１項に記載の円柱金網籠を用い、この円柱金網籠内に充填物を収納し、複数の前記円柱金網籠を並設すると共に、隣り合う円柱金網籠同士を籠連結具により連結したことを特徴とする連結構造体。
【請求項６】
複数の前記円柱金網籠を左右方向に並設すると共に、隣り合う前記円柱金網籠の側部を突き合せ、この突き合せ箇所から前後一方に離れた位置で隣り合う前記円柱金網籠を籠連結具により連結したことを特徴とする請求項５記載の連結構造体。
【発明の詳細な説明】
【技術分野】
【０００１】
本発明は、充填物を詰める円柱金網籠とこれを用いた植生構造及び連結構造体に関する。
【背景技術】
【０００２】
従来、土砂災害やその予防のために、汎用性に優れた土嚢が広く用いられており、植生を可能にした土嚢（例えば特許文献１）も提案されている。しかし、土嚢を用いた構造は、仮設には適するものの、経時的な劣化により土嚢袋が損傷して内部の土砂が漏れる懸念があり、長期使用には不向きであり、また、不要になった場合、撤去も難しかった。
【０００３】
これに対して、長期使用が可能なものとして、内部に石などを詰める布団篭が知られているが、現場での石詰作業が煩雑であり、曲線箇所に用いることができないという欠点がある。
【０００４】
また、箱型の布団篭に対して、円筒形の石詰籠（例えば特許文献２及び３）もある。さらに、部材を分割することにより施工性を向上した円柱金網籠（例えば特許文献４）が提案され、この円柱金網籠では、円柱金網本体を一対の半円柱金網体で構成し、その円柱金網本体の一端開口を金属蓋で閉塞し、それら一対の半円柱金網体の縦金属線同士に、連結コイル金属線を巻き付けて半円柱金網体を連結している。
【先行技術文献】
【特許文献】
【０００５】
【特許文献１】実用新案登録第３０７０５６２号公報
【特許文献２】特開平１０−１５９０５３号公報
【特許文献３】特開平１０−１７６３１８号公報
【特許文献４】特開２０１６−１７２９９８号公報
【発明の概要】
【発明が解決しようとする課題】
【０００６】
上記円柱金網籠では、部材を分割することにより、保管及び運搬にスペースを取らないが、一対の半円柱金網体の縦金属線同士に、連結コイル金属線を巻き付けて半円柱金網体を連結する構造であるため、積み重ねての使用には耐えるものの、内部に石を詰めた状態で吊り上げて運搬することができず、また、現場で連結コイル金属線を巻き付ける作業が必要になる上に、組立及び石詰めなども現場で行う必要があるため、現場での作業が煩雑になるという問題がある。
【０００７】
そこで、本発明は、充填物を詰めた状態で運搬が可能な円柱金網籠とこれを用いた植生構造及び連結構造体を提供することを目的とし、加えて組立作業性に優れた円柱金網籠とこれを用いた植生構造及び連結構造体を提供することを目的とする。
【課題を解決するための手段】
【０００８】
上記目的を達成するために、請求項１に係る発明は、円柱金網本体を円周方向に分割した分割金網本体と、前記円柱金網本体の下面に設ける蓋体とを備え、前記分割金網本体は、枠体内に金網を張設し、前記枠体は上縁線材と下縁線材と分割箇所の縦線材と有し、前記分割金網本体同士の縦線材を連結する分割箇所連結具と、前記金網に設けられた縦方向の補強線材と、前記円柱金網本体の下縁線材に前記蓋体を連結する蓋体連結具とを備えることを特徴とする。
【０００９】
また、請求項２に係る発明は、前記金網が菱形金網であり、前記補強線材を前記金網の複数の網目に挿通すると共に、前記補強線材の上部及び下部を前記上縁線材及び前記下縁線材に連結したことを特徴とする。
【００１０】
また、請求項３に係る発明は、前記分割箇所連結具及び蓋体連結具は、連結具本体と、締付手段とを備え、前記連結具本体は、対応して設けた一対の挟持部と、これら一方と他方の挟持部の一側を連結する連結部と、それら一方と他方の挟持部の他側間に設けた開口部と、前記一方と他方の挟持部に穿設され前記締付手段を挿通する挿通部とを備え、前記補強線材の端部に連結具用係合部を設けたことを特徴とする。
【００１１】
また、請求項４に係る発明は、請求項１〜３のいずれか１項に記載の円柱金網籠を用い、この円柱金網籠内に袋体を入れると共に、この袋体に植生部を設け、前記袋体内に植生用充填物を収納したことを特徴とする。
【００１２】
また、請求項５に係る発明は、請求項１〜３のいずれか１項に記載の円柱金網籠を用い、この円柱金網籠内に充填物を収納し、複数の前記円柱金網籠を並設すると共に、隣り合う円柱金網籠同士を籠連結具により連結したことを特徴とする。
【００１３】
また、請求項６に係る発明は、複数の前記円柱金網籠を左右方向に並設すると共に、隣り合う前記円柱金網籠の側部を突き合せ、この突き合せ箇所から前後一方に離れた位置で隣り合う前記円柱金網籠を籠連結具により連結したことを特徴とする。
【発明の効果】
【００１４】
請求項１の構成によれば、分割金網本体を分割箇所連結具により連結して円柱金網本体を形成し、この円柱金網本体に蓋体を連結し、その円柱金網本体に充填物を詰めた後、補強鉄筋又はその近傍に吊り具を連結し、吊り上げて移動することができる。
【００１５】
請求項２の構成によれば、補強線材により、上枠線材と金網と下枠線材とを一体化し、吊り上げた状態で各部材に自重を分散することができる。
【００１６】
請求項３の構成によれば、円柱金網本体の組立と補強線材の上下端の連結を容易にできると共に、連結強度を確保できる。
【００１７】
請求項４の構成によれば、円柱金網籠を用いた植生構造が得られる。
【００１８】
請求項５の構成によれば、複数の円柱金網籠を連結することにより、全体として強度を確保することでき、円柱状をなすため施工においては、曲線状に並べて一体化することができる。
【００１９】
請求項６の構成によれば、外力を受けた場合、円柱金網籠が移動すると共に円柱金網籠が変形して外力を減衰する効果が得られる。
【図面の簡単な説明】
【００２０】
【図１】本発明の実施例１を円筒金属籠の斜視図である。
【図２】同上、分解斜視図である。
【図３】同上、組立工程を説明する斜視図である。
【図４】同上、斜視図である。
【図５】同上、補強線材回りの正面図である。
【図６】同上、上蓋体の平面図である。
【図７】同上、下蓋体の平面図である。
【図８】同上、菱形金網の説明図である。
【図９】同上、補強用連結具の分解斜視図である。
【図１０】同上、補強用連結金具の側面図である。
【図１１】同上、一部を切り欠いた連結具本体の正面図である。
【図１２】同上、分割箇所連結具の分解斜視図である。
【図１３】同上、蓋体連結具の分解斜視図である。
【図１４】同上、円柱金網籠と土嚢袋と植生部の分解斜視図である。
【図１５】同上、円柱金網籠と投入補助板の分解斜視図である。
【図１６】同上、土砂の投入方法を説明する断面説明図である。
【図１７】同上、連結構造体の断面図であり、図１７（Ａ）は裏込め前、図１７（Ｂ）は裏込め後を示す。
【図１８】同上、連結構造体の平面図である。
【図１９】同上、籠連結具回りの正面図である。
【図２０】同上、籠連結具の平面図である。
【図２１】同上、連結構造体の平面説明図であり、図２１（Ａ）は外力が加わる前、図２１（Ｂ）は外力が加わった後を示す。
【図２２】本発明の実施例２を示す蓋体の平面図である。
【図２３】本発明の実施例３を示す連結構造体の断面図である。
【図２４】本発明の実施例４を示す補強線材の下部側の説明図である。
【図２５】本発明の実施例５を示す円柱金網籠の分解斜視図である。
【発明を実施するための形態】
【００２１】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の実施例１について、図１〜図２１を参照して説明する。同図に示すように、円柱金網籠１は、円筒状の円柱金網本体２を備え、この円柱金網本体２を円周方向に複数に分割して分割金網本体を形成し、この例では円柱金網本体２を円周方向等間隔に二分割した一対の分割金網本体３，３を備え、これら分割金網本体３，３は同一形状をなす。また、前記円柱金網本体２の上下開口には必要に応じて上蓋体４及び下蓋体５が設けられる。尚、円柱金網籠１には亜鉛鍍金又は亜鉛とアルミの合金鍍金などが施されている。
【００２３】
前記分割金網本体３は、上下に半円形の上縁線材１１と下縁線材１２とを備え、その分割金網本体３の高さ方向中央に半円形の中間線材１３が配置され、これら線材１１，１２，１３は同一形状である。また、円柱金網本体２の分割箇所１９には縦線材１４，１４がそれぞれ設けられ、両側の縦線材１４，１４に、それら上縁線材１１，下縁線材１２及び中間線材１３の端部が溶接などにより固定されている。そして、前記上縁線材１１，下縁線材１２及び両側の縦線材１４，１４により枠体１８を構成している。また、線材１１，１２，１３は水平で相互に平行に配置されている。
【００２４】
前記分割金網本体３には、金属製の網体である菱形金網２０が設けられ、この菱形金網２０は、前記上，下縁線材１１，１２と両側の縦線材１４，１４との間の全面に張設されている。
【００２５】
図８に示すように、前記菱形金網２０は、縦方向の鋼線２１を、上から下に向かって左右一方と左右他方で略８５度に折り曲げて折曲げ部２２，２２を形成し、隣り合う鋼線２１，２１の折曲げ部２２，２２同士を引っ掛けるように係合して係合部２３を形成し、斜め四辺が鋼線２１で構成された菱形又は正方形の網目２４を複数形成している。尚、図８では理解を容易にするため、分割金網本体３を平面に展開した状態で図示している。
【００２６】
また、菱形金網２０の取付状態で周方向の両端に、前記折曲げ部２２，２２・・・が上下に並んで形成され、両端の折曲げ部２２，２２・・・に前記縦線材１４，１４がそれぞれ挿通されて連結されている。それら左右一対の鋼線２１，２１の上端及び下端を前記上縁線材１１及び下縁線材１２に１.５周以上、好ましくは２周以上巻き付けてカール部２５を形成し、前記カール部２５によりそれら上縁線材１１及び下縁線材１２に菱形金網２０の上下を連結固定している。
【００２７】
前記分割金網本体３には、２本の補強線材１５，１５を設け、これら補強線材１５，１５は、円柱金網籠１の円周方向等間隔で、分割箇所１９から等間隔の位置に縦設されている。この補強線材１５は、補強縦線材１６の上下に略Ｕ字状に折り返した折返し部１７，１７を有し、前記補強縦線材１６を前記網目２４に挿通している。例えば、上下一方から始めて網目２４の外面側から補強縦線材１６の上端を挿通し、その上の網目２４には補強縦線材１６の上端を網目２４の内面側から挿通し、その上の網目２４には補強縦線材１６の上端を網目２４の内面側から挿通するというように、上下に並んだ網目２４に外面側と内面側から相互に縦線材１４を挿通し、取付け状態で、鋼線２１が上下方向において補強縦線材１６の外側と内側に当接した状態で交互に配置されている。そして、後述するように、補強線材１５の上下は上縁線材１１と下縁線材１２に連結される。
【００２８】
前記線材１１，１２，１３，１４は、前記菱形金網２０の鋼線２１に比べて太く、引張強度が高い金属製のものが用いられる。また、一例として、円柱金網籠１の高さは１０００ｍｍ、直径は１１００ｍｍ、網目２４の大きさＫは１５０ｍｍ程度であるが、これらの寸法は適宜選定可能である。
【００２９】
次に、前記円柱金網籠１を植生構造に用いる場合の蓋体について説明する。尚、植生以外にも、充填物が小さい礫径の細粒石の場合にも適用可能であるが、礫径が１８０ｍｍ〜２２０ｍｍ程度の石詰用の場合は、強度の強い異なる蓋体を用いることが好ましい。
【００３０】
図６に示すように、前記上蓋体４は、金属製の線材を前記円柱金網籠１の上縁線材１１，１１に対応して円形に形成した円形縁線材３１を備え、この円形縁線材３１は線材を円形に曲げて端部を溶接してなる。前記円形縁線材３１内に一対の一側方向線材３２，３２を間隔を置いて配置すると共に、これら一側方向線材３２，３２と交差する一対の他側方向線材３３，３３を間隔を置いて配置し、それら線材３２，３２，３３，３３を略井桁状に配置し、それら各線材３２，３２，３３，３３の両端を前記円形縁線材３１に溶着などにより固定してなる。尚、一側方向線材３２及び他側方向線材３３は、金属製であり、これら線材３２，３３に比べて前記円形縁線材３１は太く、引張強度の高いものを用いている。
【００３１】
また、図７に示すように、前記下蓋体５は、前記円形縁線材３１の直径方向に前記一側方向線材３２を配置すると共に、この一側方向線材３２と交差する直径方向に前記他側方向線材３３を配置し、それら線材３２，３３の両端を前記円形縁線材３１に溶着などにより固定している。また、一側方向線材３２に平行な一対の網用線材３４，３４を配置すると共に、他側方向線材３３に平行な一対の網用線材３４，３４を配置し、それら網用線材３４，３４，３４，３４をカール部３５により前記円形縁線材３１に固定している。それら網用線材３４，３４，３４，３４は同一のものが用いられる。尚、そのカール部３５は、前記カール部２５と同様に、鋼線２１の端部を前記円形縁線材３１に１.５周以上、好ましくは２周以上巻き付けて形成される。また、一側方向線材３２とこれと平行な網用線材３４，３４は、下蓋体５の直径方向に等間隔に設けられ、他側方向線材３３とこれと平行な網用線材３４，３４は、下蓋体５の直径方向に等間隔で設けられている。前記円形縁線材３１は前記線材３２，３３に比べて太く、引張強度が高い金属製のものが用いられ、前記線材３２，３３は前記網用線材３４に比べて太く、引張強度が高い金属製のものが用いられる。
【００３２】
前記円柱金網籠１の組立には、複数種類の連結具が用いられ、以下、それら連結具について説明する。補強用連結具６により、前記下蓋体５の円形縁線材３１と、前記円柱金網本体２の下縁線材１２と、前記補強線材１５の連結具係合部である折返し部１７とが連結される。
【００３３】
図９〜図１１に示すように、前記補強用連結具６は、連結具本体４１と、締付手段４２とを備え、前記連結具本体４１は、金属製の平板を屈曲して略平行に配置した一方及び他方の挟持部４３，４３Ａを有すると共に、その屈曲部分が前記一方及び他方の挟持部４３，４３Ａの一側を連結する連結部４４であり、前記一方及び他方の挟持部４３，４３Ａの他側には開口部４５が設けられている。また、前記一方及び他方の挟持部４３，４３Ａには、対をなす挿通部たる透孔４６，４６Ａが穿設され、この例では複数対（二対）の透孔４６，４６Ａが間隔を開けて配置されている。
【００３４】
そして、連結部４４側の透孔４６，４６Ａと連結部４４の間が、上蓋体４の前記円形縁線材３１と前記上縁線材１１を収納する第一収納部４７であり、透孔４６，４６Ａと透孔４６，４６Ａの間が１本の前記折返し部１７を収納する第二収納部４７Ａであり、第一収納部４７は第二収納部４７Ａより広く設定されている。
【００３５】
尚、実際には、挟持部４３，４３Ａの間隔は、連結部４４側に比べて開口部４５側が広くなるように形成されており、締付手段４２を締め付けた状態で、挟持部４３，４３Ａ同士は略平行になる。このように挟持部４３，４３Ａの間隔は、連結部４４側に比べて開口部４５側が広くなるように形成されており、締付手段４２を締め付けた状態で、挟持部４３，４３Ａ同士は略平行になるため、連結具本体４１のスプリングバックによりナット５２の緩み止め効果が得られる。さらに、突条５４は頭部５１Ｔ側の螺子杆５１の側面を両側から押し潰すようにして形成したから、加工が容易となる。
【００３６】
前記締付手段４２は、一方に頭部５１Ｔを有し他方に雄螺子部５１Ｎを有する螺子杆５１と、前記雄螺子部５１Ｎに螺合するナット５２とを備える。尚、螺子杆５１には一般的な六角頭部を有するボルトを用いている。
【００３７】
また、補強用連結具６は前記螺子杆５１の回り止め手段５３を備え、この回り止め手段５３は、前記螺子杆５１の外周で対向する位置に一対の突条５４，５４を設け、これら突条５４，５４は螺子杆５１の長さ方向に部分的に形成され、その突条５４が係合する係合溝部５５を前記透孔４６に形成しており、前記係合溝部５５が回り止め部であり、前記突条５４が係合部である。尚、この突条５４は頭部５１Ｔ側の螺子杆５１の側面を両側から押し潰すようにして形成され、突条５４の両側には直径寸法より凹んだ凹部５４Ａ，５４Ａを有する。すなわち、これら潰された凹部５４Ａ，５４Ａの分だけ前記突条５４が外側に突出する。
【００３８】
分割箇所１９で対をなす前記分割金網本体３，３の縦線材１４，１４同士は、複数の分割箇所連結具７により連結される。図５及び図１９に示すように、前記分割箇所連結具７は、前記補強用連結具６に比べて挟持部４３，４３が短く、前記第二収納部がなく、一対の透孔４６，４６Ａを有する。そして、第一収納部４７に２本の縦線材１４，１４を収納する。
【００３９】
また、上，下蓋体４，５の取付けに蓋体連結具８を用いる。図１３に示すように、前記連結具８は折返し部５７Ａを有するＵ字ボルト５７と、このＵ字ボルト５７に連結する押え板５８とを備え、このＵ字ボルト５７は両端に雄螺子部５７Ｎ，５７Ｎを有し、前記押え板５８にそれら雄螺子部５７Ｎ，５７Ｎを挿通する透孔５９，５９を穿設し、それら透孔５９，５９に挿通した雄螺子部５７Ｎ，５７Ｎにナット６０，６０を螺合してなる。
【００４０】
そして、Ｕ字ボルト５７と押え板５８の間に、下蓋体５の円形縁線材３１と下縁線材１２を挿入することにより、円柱金網本体２の下部開口に上蓋体４を固定し、また、Ｕ字ボルト５７と押え板５８の間に、上蓋体４の円形縁線材３１と上縁線材１１を挿入することにより、円柱金網本体２の上部開口に上蓋体４を固定することができる。
【００４１】
また、前記円柱金網籠１を用いて植生構造６１が得られる。この植生構造６１は、円柱金網籠１内に植生用の土嚢６２を収納してなり、この土嚢６２は、袋体たる土嚢袋６３の内部に植生手段たる植生シート６４を配置し、土嚢袋６３の内部に、植生用充填物として土砂６５を充填してなる。尚、土嚢袋６３は紫外線などに対して耐久性の高い耐光性の合成樹脂材料からなる。
【００４２】
図１４に示すように、前記土嚢袋６３は、略円形をなす底面部６６と、略円筒形をなす側面部６７とを有し、この側面部６７は二重のメッシュ生地６８，６９からなり、その側面部６７の上部に円筒状の蓋形成部７０が設けられ、この蓋形成部７０は外側の前記メッシュ生地６８により構成されている。尚、前記側面部６７は、メッシュ生地６９を用いずにメッシュ生地６８のみの場合もある。
【００４３】
前記底面部６６は、合成樹脂製、例えばポリプロピレン製の黒い布地からなり、通水性を有する。また、前記メッシュ生地６８，６９は、合成樹脂製、例えば黒のポリプロピレン製であり、通水性を備えると共に、植物の芽が通過可能な網目を有する。さらに、前記植生シート６４は、合成樹脂製、例えばポリエチレンネットを基材とし、この基材に、薄綿，水溶紙，植物の種や肥料を付着させたものである。また、植生シート６４は、透水性を有し、一方、土砂６５を保持するものである。
【００４４】
次に、前記円柱金網籠１の組立方法について説明する。図３に示すように、下蓋体５の上に一方の分割金網本体３を乗せ、補強用連結具６により、前記下蓋体５の円形縁線材３１と、前記円柱金網本体２の下縁線材１２と、前記補強線材１５の連結具係合部である折返し部１７とを連結し、また、下蓋体５の円形縁線材３１と下縁線材１２とを複数の連結具８により連結する。
【００４５】
この場合、補強用連結具６の連結具本体４１は、透孔４６側を前側に配置し、後側から透孔４６Ａ，４６に螺子杆５１を挿通すると共に回り止め手段５３により回り止め状態とし、前側に突出した雄螺子部５１Ｎにナット５２を螺合することにより、円形縁線材３１と下縁線材１２と折返し部１７をスムーズに連結することができる。また、連結具８は雄螺子部５７Ｎ，５７Ｎが上側になるように配置することにより、雄螺子部５７Ｎ，５７Ｎへのナット６０，６０の螺合作業が容易となる。尚、補強用連結具６により、円柱金網本体２の底部に下蓋体５を取り付けた後、即ち、連結部４４側の締付手段４２を締め付けた後、補強縦線材１６の下端側の折返し部１７を補強用連結具６に連結することが作業手順の面から好ましい。
【００４６】
また、同様に他方の分割金網本体３を下蓋体５に連結固定し、一方と他方の分割金網本体３，３の縦線材１４，１４同士を、複数の分割箇所連結具７，７・・・により連結し、円柱金網本体２を組み立てる。
【００４７】
植生構造６１の場合、上蓋体４を取り付ける前に、円柱金網籠１内に前記土嚢６２を入れる。具体的には、図１５に示すように、上部を開口した円柱金網籠１の内面に添うように土嚢袋６３を配置し、蓋形成部７０の上部を外側折り返して円柱金網本体２の外面に沿わせる。尚、必要に応じて土嚢袋６３の上部を結束線などの固定手段により上縁線材１１などに固定し、充填物の充填時に下にずれることを防止する。この後、土嚢袋６３の側面部６７の内面に沿って植生シート６４を配置し、ホッチキス等の仮止め手段７１により、植生シート６４の上部を土嚢袋６３に取り付ける。
【００４８】
また、投入補助板７２として合成樹脂製、例えばポリカーボネート製の波板７３を複数枚、例えば４枚用意する。この波板７３は左右方向に複数の凹凸部を並設し、その波板７３の高さは円柱金網本体２の高さと略等しいか、高さ以上である。また、複数の波板７３の端部同士を連結手段たる粘着テープ７４などにより連結して投入補助板７２を形成し、この投入補助板７２の左右幅は円柱金網本体２の内径より大きい。
【００４９】
そして、仮止めした植生シート６４の内面に沿うようにして、投入補助板７２を筒状に配置し、その投入補助板７２の端部同士は重ね合わせる。これにより植生シート６４の内面が投入補助板７２により保護され、内部に土砂６５を投入しても、植生シート６４が損傷することなく、土砂６５を効率良く充填することができる。この場合、土砂６５をゆっくりと充填しながら、投入補助板７２を上に移動し、投入と移動を繰り返すことにより、植生シート６４を損傷することなく、土砂６５を充填することができる。尚、図１６中で、７２Ｔは投入補助板７２の下端である。また、平板よりも凹凸のある波板７３の方が、引き上げ時に抵抗が少なく、引き上げ易い。尚、充填後は、蓋形成部７０により円柱金網本体２の上面位置で土砂６５の上部を覆った後、上蓋体４を円柱金網本体２に連結固定する。この場合、上蓋体４の円形縁線材３１と上縁線材１１とを複数の連結具８により連結する。また、連結具８により、上縁線材１１と補強線材１５の上端の折返し部１７を連結する。
【００５０】
充填物である土砂６５の充填は工場又は現場で行うことができ、現場で行う場合も設置場所に近い充填作業が容易な場所で作業を行った後、設置場所に運搬することができる。尚、現場で充填する場合は現地発生土を用いることができる。具体的には、図５に示すように、ロープ７５の端部に吊り具たる輪部７５Ｗを設け、この輪部７５Ｗを補強線材１５の上端の折返し部１７に係止し、具体的には輪部７５Ｗに折返し部１７を通して引っ掛け、４点で円柱金網籠１を吊り上げ、運搬することができる。或いは、補強線材１５の折返し部１７又は補強線材１５の近傍の上縁枠材１１に、フック等の吊り具７６を係止し、補強線材１５の近傍又は上端の折返し部１７に係止し、４点で円柱金網籠１を吊り上げ、運搬することができる。この場合、補強線材１５の折返し部１７にロープ７５を連結することにより、その補強線材１５及び補強用連結具６により下蓋体５に加わる荷重を直接的に支持することができるため、円柱金網籠１が充填物の荷重により変形することなく、安定して吊り上げることができる。このように移動できるため、設置場所の作業ヤードが狭く、組立及び充填作業ができない現場にも対応可能となる。
【００５１】
また、植生構造６１は、移動可能な大型プランターとしても使用できるため、公園やイベント会場での利用や、車道，歩道の誘導及び分離用の安全施設としても利用できる。
【００５２】
さらに、内部に充填物を充填した前記円柱金網籠１，１・・・を並べ、隣り合う円柱金網籠１，１を籠連結具９により連結して連結構造体１０を構築することができる。その籠連結具９を連結するために、前記円柱金網籠１には、連結用補強線材１５Ａが設けられ、この連結用補強線材１５Ａの長さは、円柱金網本体２の高さの２分の１以上、好ましくは３分の２以上である。尚、結用補強線材１５Ａの長さは、上下の折返し部１７，１７の間隔である。
【００５３】
図１９などに示すように、前記連結用補強線材１５Ａは前記補強線材１５に比べて短く形成されており、実施例１と同様に補強縦線材１６は網目２４，２４・・・に前後交互に挿通され、この例では上側の折返し部１７を菱形金網２０の係合部２３に係止している。尚、連結用補強線材１５Ａは、縦線材１４と補強線材１５の中央側に設けることが好ましい。また、図１などに示すように、中間線材１３も菱形金網２０の網目２４に前後交互に挿通されている。
【００５４】
前記籠連結具９は、前記連結用補強線材１５Ａ，１５Ａを連結するものであり、上下で２つ用いられている。
【００５５】
図２０に示すように、前記籠連結具９は、二つの前記連結具本体４１，４１を用い、一方の連結具本体４１に一方の連結用補強線材１５Ａを挿入すると共に、他方の連結具本体４１に他方の連結用補強線材１５Ａを挿入し、この状態で、一対の連結具本体４１，４１の挟持部４３，４３同士と挟持部４３Ａ，４３Ａ同士を重ね合わせるように配置し、それぞれの透孔４６，４６，４６Ａ，４６Ａに螺子杆５１を挿入し、その雄螺子部５１Ｎにナット５２を螺合することにより、隣り合う円柱金網籠１，１同士を連結している。また、図２０に示すように、連結具本体４１内で前記連結用補強線材１５Ａが移動可能であるから、円柱金網籠１，１・・・を平面曲線状に並べることができる。尚、図２０では、連結具本体４１内において、連結用補強線材１５Ａが、その補強縦線材１６の直径２本分以上の範囲で移動可能である。
【００５６】
この場合、両連結具本体４１，４１の端部間は補強線材１５Ａ，１５Ａの大きさに比べて大きく形成されているから、図１８及び図２１に示すように、隣り合う円柱金網籠１，１の側面を突き合せた状態で、前側又は後側の一方で補強線材１５Ａ，１５Ａ同士を籠連結具９により連結することができる。そして、図１８及び図２１に示したように、隣り合う円柱金網籠１，１の突き合せ箇所８０から前後に離れた位置で、隣り合う円柱金網籠１，１の前側より突き合せ箇所８０側において、籠連結具９により隣り合う円柱金網籠１，１を連結したから、連結作業が容易になると共に、後側（斜面側）に力を受けた場合、円柱金網籠１が移動すると共に円柱金網籠１が変形して外力を減衰する効果が得られる。
【００５７】
前記連結構造体１０はそのままで土砂の崩落の有る箇所又は虞のある箇所に設置することができる。また、植生構造６１を用いる場合は、図１７（Ｂ）に示すように、連結構造体１０と斜面８１との間に土砂などの裏込め材８２を充填し、裏込め材８２に円柱金網籠１が接し、裏込め材８２から水が供給されるように構成することが好ましい。尚、充填物が石などの場合、円柱金網籠１と裏込め材８２の間に、例えばシート状の吸出し防止材（図示せず）を配置し、この吸出し防止材により裏込め材８２が円柱金網籠１内に侵入することを防止する。尚、前記吸出し防止材は通水性を有するものである。
【００５８】
このようにして構築した連結構造体１０では複数の円柱金網籠１，１・・・を連結することにより、全体として防護構造を構成することができ、背面土圧などに対しても所定の強度が得られる。また、独立して配置した場合も崩壊土砂などを受け止めることができる。
【００５９】
図２１に示すように、連結構造体１０は設置面に載置された状態で、固定されてはいないから、土砂や落石などにより一部に外力が加わると、円柱金網籠１が移動すると共に円柱金網籠１が変形して外力を減衰する効果が得られる。尚、外力が加わる側が斜面側である。
【００６０】
また、設置後は、植生シート６４に含まれる種子がメッシュ生地６８，６９を通って発芽し、育成することにより、円柱金網籠１の側面及び上面が植物により覆われる。このように外側が植物に覆われることにより、土嚢袋６３に当たる太陽光が削減され、紫外線などによる影響を緩和できる。また、従来の土嚢と異なり、円柱金網籠１により保持されるため、土嚢袋６３が変形することがなく、長期に渡って安定した植生構造６１が得られる。
【００６１】
さらに、仮設で用いた場合、撤去するには、籠連結具９を外し、単体にした円柱金網籠１を吊り上げて運搬・移動することができる。また、条件により、再利用することも可能となる。
【００６２】
このように本実施例では、請求項１に対応して、円柱金網本体２を円周方向に分割した分割金網本体３，３と、円柱金網本体２の下面に設ける蓋体たる下蓋体５とを備え、分割金網本体３は、枠体１８内に金網たる菱形金網２０を張設し、枠体１８は上縁線材１１と下縁線材１２と分割箇所１９の縦線材１４，１４と有し、分割金網本体３，３同士の縦線材１４，１４を連結する分割箇所連結具７と、菱形金網２０に設けられた縦方向の補強線材１５と、円柱金網本体２の下縁線材１２に下蓋体５を連結する蓋体連結具たる連結具８とを備えるから、分割金網本体３，３を分割箇所連結具７により連結して円柱金網本体２を形成し、この円柱金網本体２に下蓋体５を連結し、その円柱金網本体２に充填物たる土砂６５を詰めた後、補強線材１５の箇所又は補強線材１５の近傍に輪部７５Ｗや吊り具７６を連結し、吊り上げて移動することができる。
【００６３】
このように本実施例では、請求項２に対応して、金網が菱形金網２０であり、補強線材１５を菱形金網２０の複数の網目２４，２４に挿通すると共に、補強線材１５の上部及び下部を上縁線材１１及び下縁線材１２に連結したから、補強線材１５により、上縁線材１１と菱形金網２０と下縁線材１２とを一体化し、吊り上げた状態で各部材に自重を分散することができる。
【００６４】
このように本実施例では、請求項３に対応して、連結具たる補強用連結具６及び分割箇所連結具７は、連結具本体４１と、締付手段４２とを備え、連結具本体４１は、対応して設けた一対の挟持部４３，４３Ａと、これら一方と他方の挟持部４３，４３Ａの一側を連結する連結部４４と、それら一方と他方の挟持部４３，４３Ａの他側間に設けた開口部４５と、一方と他方の挟持部４３，４３Ａに穿設され締付手段４２を挿通する挿通部たる透孔４６，４６とを備え、補強線材１５の端部に連結具用係合部たる折返し部１７を設けたから、円柱金網本体２の組立と補強線材１５の上下端の連結を容易にできると共に、連結強度を確保できる。
【００６５】
このように本実施例では、請求項４に対応して、円柱金網籠１を用い、この円柱金網籠１内に袋体たる土嚢袋６３を入れると共に、この土嚢袋６３に植生部たる植生シート６４を設け、土嚢袋６３内に植生用充填物たる土砂６５を収納したから、円柱金網籠１を用いた植生構造６１が得られる。
【００６６】
このように本実施例では、請求項５に対応して、円柱金網籠１を用い、この円柱金網籠１内に充填物たる土砂６５や玉石などの石８５を収納し、複数の円柱金網籠１，１を並設すると共に、隣り合う円柱金網籠１，１同士を籠連結具９により連結したから、複数の円柱金網籠１，１を連結することにより、全体として強度を確保することでき、円柱状をなすため施工においては、曲線状に並べて一体化することができる。
【００６７】
このように本実施例では、請求項６に対応して、複数の円柱金網籠１，１を左右方向に並設すると共に、隣り合う円柱金網籠１，１の側部を突き合せ、この突き合せ箇所８０から前後一方に離れた位置で隣り合う円柱金網籠１，１を籠連結具９により連結したから、外力を受けた場合、円柱金網籠１が移動すると共に円柱金網籠１が変形して外力を減衰する効果が得られる。
【００６８】
以下、実施例上の効果として、分割金網本体３の高さ方向中央に半円形の中間線材１３が配置されているから、強度を確保できる。尚、中間線材１３も菱形金網２０の網目２４に前後交互に挿通されている。また、補強線材１５は、補強縦線材１６の上下に略Ｕ字状に折り返した折返し部１７，１７を有するから、折返し部１７により連結具との連結や菱形金網２０への連結を簡便に行うことができる。さらに、植生シート６４を仮止めした内面に沿うようにして、投入補助板７２を筒状に配置し、土砂６５を充填しながら、投入補助板７２を上に移動する充填物の充填方法であるから、植生部たる植生シート６４を保護しながら円滑に土砂６５を充填することができる。
【００６９】
さらに、連結箇所には、円柱金網籠１に連結用補強線材１５Ａが設けられ、連結用補強線材１５Ａ，１５Ａ同士を籠連結具９により連結するから、連結作業が容易で、確実な連結構造が得られ、外力が加わった場合も、その外力を縦方向の連結用補強線材１５Ａにより円柱金網籠１に分散して伝えることができ、特に、連結用補強線材１５Ａの長さが円柱金網本体２の高さの２分の１以上、好ましくは３分の２以上であるから、外力を分散してつて得ることができる。
【００７０】
また、金網に菱形金網２０を用いたから、円柱状の金網籠１と組み合わせることにより、変形しても強度を確保することができ、外力に対しても強いものとなる。さらに、土嚢袋６３は外面にメッシュ生地６８，６９が位置するから、メッシュ生地６８，６９に周辺の種子が定着して発芽することができる。
【実施例２】
【００７１】
図２２は本発明の実施例２を示し、上記実施例１と同一部分に同一符号を付し、その詳細な説明を省略して詳述する。この例は、充填物である礫の径が１８０ｍｍ〜２２０ｍｍ程度の大型の石詰用の場合に用いる蓋体を示す。
【００７２】
上蓋体４Ａ及び下蓋体５Ａは同一構成のものが用いられる。上，下蓋体４Ａ，５Ａは、前記円形縁線材３１の直径方向に前記一側方向線材３２を配置すると共に、この一側方向線材３２と交差する直径方向に前記他側方向線材３３を配置し、それら線材３２，３３の両端を前記円形縁線材３１に溶着などにより固定し、前記円形縁線材３１内に前記菱形金網２０を張設し、その鋼線２１の周囲の端部を前記カール部２５により円形縁線材３１に固定している。尚、菱形金網２０の周囲に折曲げ部２２が有る場合は、その折曲げ部２２を円形縁線材３１に係止する。尚、図２２では一部のカール部２５を図示し、他は図示省略している。
【００７３】
そして、充填物として径が１８０ｍｍ〜２２０ｍｍ程度の大型の石８５を詰めることにより、連結構造体１０全体の重量が増し、崩壊土砂や雪崩などを受けても、防護可能なものになる。
【００７４】
このように本実施例では上記各実施例と同様な作用・効果を奏し、また、実施例１より重量が大となるため、その連結構造体１０は、土砂や雪崩などの防護体や土留などの各種の構造物に適したものとなる。
【実施例３】
【００７５】
図２３は本発明の実施例３を示し、上記各実施例と同一部分に同一符号を付し、その詳細な説明を省略して詳述する。この例は、土嚢６２又は充填物として土砂６５や石８５などを入れた円柱金網籠１を複数段に重ね合わせて連結構造体１０Ａを構築している。
【００７６】
斜面８１から離れた位置の設置面に、円柱金網籠１を前後２列に並べると共に、左右に複数並べ、左右方向に並んだ円柱金網籠１，１同士を前記籠連結具９により連結し、下段の連結構造体１０を構築する。この下段の連結構造体１０の上に、円柱金網籠１が前後方向１列で左右に複数並べた下から２段目の連結構造体１０を設けることにより、多段の連結構造体１０Ａを構築する。この場合、下から２段目の連結構造体１０（この例では上段の連結構造体１０）は、下段の連結構造体１０の前後方向中央に載置されている。
【００７７】
このように構築した連結構造体１０Ａにあっては、斜面８１との間に空間８６が形成され、以下のような用途に適用可能となる。
【００７８】
雪崩などの応急処理に使用できる。小落石，折れ枝や表層土剥土砂を空間８６に貯め、それらの拡散を防止し、保全対象物の背後に堆積スペースとなる空間８６を設けて落石時の衝撃緩和に使用できる。斜面８１の崩れに対応し、盛土，切土の端末部の土留工として、従来大型土嚢を用いていた箇所において、より安定した耐久性と強度が必要な場合に使用できる。従来の土嚢を左右方向に密着させて配置した構造と異なり、外周が円柱金網籠１により形成されているため、隣り合う円柱金網籠１，１の間に水が通過可能なスリットが形成されるから、透水性が確保され、背面の側湧水を逃がすという湧水箇所対策に使用できる。
【００７９】
このように本実施例では上記各実施例と同様な作用・効果を奏する。
【実施例４】
【００８０】
図２４は本発明の実施例４を示し、上記各実施例と同一部分に同一符号を付し、その詳細な説明を省略して詳述する。この例では、補強連結具を用いずに、前記補強線材１５の下端の折返し部１７を、下蓋体５の円形縁線材３１に係止することにより連結している。
【００８１】
このように本実施例では、金網が菱形金網２０であり、補強線材１５を菱形金網２０の複数の網目２４，２４に挿通すると共に、補強線材１５の上端及び下端を上縁線材１１及び下縁線材１２に連結したから、上記各実施例と同様な作用・効果を奏する。
【実施例５】
【００８２】
図２５は本発明の実施例５を示し、上記各実施例と同一部分に同一符号を付し、その詳細な説明を省略して詳述する。この例では、袋体として水袋９１を用い、円柱金網本体２の内面と下蓋体５の上面に有底筒型の保護袋９２を設け、この内部に前記水袋９１を入れ、この水袋９１は内袋９３と外袋９４の二重構造になっており、内部に充填物である水を入れる。尚、保護袋９２は、水袋９１が円柱金網籠１に接触して破れないように保護するものである。
【００８３】
このように本実施例では、円柱金網籠１内に水袋９１を入れることにより、簡易な水槽及び重量物となり、水タンクや応急用の防護用側壁として利用することができる。使用後は分解し、省スペースで保管することができ、緊急時やイベント時に繰り返し使用することができる。また、水タンクや応急用の防護用側壁などとして用いた後は、充填物を土嚢袋や石などに代えて使用することもできる。
【００８４】
また、水袋９１は、内袋９３と外袋９４の二重構造で、その都度新しい水袋９１に交換して使用することができるため、洗浄の必要がなく、清潔に使用できる。さらに、水は、水道水以外でも、一般的な用水を使用してもよく、使用目的に応じた使い分けができる。尚、飲料水の使用に適合した水袋９１を使用しているが、長期保存をする場合は、水質管理を行う必要がある。
【００８５】
尚、本発明は、前記実施例に限定されるものではなく、種々の変形実施が可能である。例えば、充填物が小さい礫径の細粒石を詰めた円柱金網籠は、土留，護岸，土塁，のり留やのり覆などに用いることができ、また、細粒石より大きな石を詰めた円柱金網籠は、透水性に優れるから、生態系の保全が可能な多自然型工法に適したものとなり、例えば土留，護岸，水割や床固などに用いることができるなど各種の用途に用いることができる。さらに、実施例では、植生部たる植生シートを円柱金網本体の内周全面に配置したが、使用条件などにより、植生シートを前記内周の一部に設けたり、土嚢袋の上面箇所に設けたり、これらを組み合わせて設けたりすることができる。また、請求項１では、菱形金網以外の溶接金網などを用いてもよい。また、実施例では、上縁線材と下縁線材と両側の縦線材を溶接で一体化した枠体を示したが、別体の上縁線材と下縁線材と両側の縦線材とを組み立てて枠体を形成してもよい。さらに、充填物は、土砂などの粒状充填物や、石などの塊状充填物など各種のものを用いることができる。また、補強線材の折返し部はＵ字形に限らず、Ｖ字形やコ字形などでもよい。さらに、回り止め部は各種の構成を採用することができる。また、小型の袋に砂や石を積め、それら複数の袋の充填物としてもよく、さらに、籠の内側にシートなどを張り、充填物をそのまま内部に充填してもよく、充填物に各種のものを用いることができるが、全体として水以上の比重のものを用いることが好ましい。また、連結具には亜鉛鍍金を施すことが好ましい。さらに、実施例では、円柱金網本体２を円周方向に二分割した分割金網本体３，３を示したが、円柱金網本体２の直径が大きい場合は、円柱金網本体２を円周方向に三分割や四分割など三分割以上に均等に分割した分割金網本体を用いてもよい。また、実施例では、二分割した分割金網本体３，３に２本の補強線材１５，１５を設けることにより、円柱金網本体２に４本以上の補強電材を円周方向に略等間隔に設けたが、三分割以上の場合は、各分割金網本体に少なくとも１本以上の補強線材１５を設け、円柱金網本体２に補強線材１５を４本以上設け、全体重量が重ければ更に補強線材等の数を増やすことが吊り上げの面から好ましい。また、円柱金網籠には、各種の鍍金や防錆加工を施すことができる。
【符号の説明】
【００８６】
１  円柱金網籠
２  円柱金網本体
３  分割金網本体
４  上蓋体（蓋体）
５  下蓋体（蓋体）
６  補強用連結具
７  分割箇所連結具
８  連結具（蓋体連結具）
９  籠連結具
１０  連結構造体
１１  上縁線材
１２  下縁線材
１４  縦線材
１５  補強線材
１７  折返し部（連結具係合部）
１８  枠体
２３  係合部
２４  網目
４１  連結具本体
４２  締付手段
４３  挟持部
４３Ａ  挟持部
４４  連結部
４５  開口部
４６  透孔（挿通部）
４６Ａ  透孔（挿通部）
６１  植生構造
６２  土嚢
６３  土嚢袋（袋体）
６４  植生シート（植生部）
６５  土砂（植生用充填物）
８０  突き合せ箇所
８５  石（充填物）
【図１】
2019127740.tif 000003
【図２】
2019127740.tif 000004
【図３】
2019127740.tif 000005
【図４】
2019127740.tif 000006
【図５】
2019127740.tif 000007
【図６】
2019127740.tif 000008
【図７】
2019127740.tif 000009
【図８】
2019127740.tif 000010
【図９】
2019127740.tif 000011
【図１０】
2019127740.tif 000012
【図１１】
2019127740.tif 000013
【図１２】
2019127740.tif 000014
【図１３】
2019127740.tif 000015
【図１４】
2019127740.tif 000016
【図１５】
2019127740.tif 000017
【図１６】
2019127740.tif 000018
【図１７】
2019127740.tif 000019
【図１８】
2019127740.tif 000020
【図１９】
2019127740.tif 000021
【図２０】
2019127740.tif 000022
【図２１】
2019127740.tif 000023
【図２２】
2019127740.tif 000024
【図２３】
2019127740.tif 000025
【図２４】
2019127740.tif 000026
【図２５】
2019127740.tif 000027